(57)【要約】【課題】  給紙カセットへの用紙のセット性を向上させることで、用紙のセット不良をなくし、用紙のセット不良が原因で発生する給紙・搬送不良を防止することが出来、また、給紙時に、用紙が分離板と用紙載置面の間に入り込み、用紙詰まりや用紙先端折れ等の不具合の発生を防止することが出来る給紙カセットを提供する。【解決手段】  用紙を載置面上に積載・収納し、装置本体に対し出し入れ自由な給紙カセットと、該給紙カセットから該用紙を送り出す給紙ローラとを有する給紙装置において、該給紙カセットの、用紙送り出し方向で用紙載置面に対し一定の角度を有する壁の一部に切り欠きがあると同時に、該切り欠きは連続的に用紙載置面まで伸びており、該用紙載置面の切り欠きは、用紙セット位置まで入り込んでいることを特徴とする。【選択図】        図１
2006219243.tif 000002
【特許請求の範囲】
【請求項１】
用紙を載置面上に積載・収納し、装置本体に対し出し入れ自由な給紙カセットと、該給紙カセットから該用紙を送り出す給紙ローラとを有する給紙装置において、
該給紙カセットの、用紙送り出し方向で用紙載置面に対し一定の角度を有する壁の一部に切り欠きがあると同時に、該切り欠きは連続的に用紙載置面まで伸びており、該用紙載置面の切り欠きは、用紙セット位置まで入り込んでいることを特徴とする給紙カセット。
【請求項２】
用紙を載置面上に積載・収納し、装置本体に対し出し入れ自由な給紙カセットと、該給紙カセットから該用紙を送り出す給紙ローラと、該用紙の送り出し方向下流側に設けられ、該用紙が衝突する斜面を有する分離板とを有する給紙装置において、
該給紙カセットの用紙載置面に切り欠きを有し、該切り欠きは、前記分離板を３方向から囲む形状をしていることを特徴とする給紙カセット。
【請求項３】
用紙を載置面上に積載・収納し、装置本体に対し出し入れ自由な給紙カセットと、該給紙カセットから該用紙を送り出す給紙ローラと、該用紙の送り出し方向下流側に設けられ、該用紙を衝突する斜面を有する分離板とを有する給紙装置において、
該給紙カセットの、用紙送り出し方向で用紙載置面に対し一定の角度を有する壁の一部に切り欠きがあると同時に、該切り欠きは連続的に用紙載置面まで伸びており、該用紙載置面の切り欠きは、用紙セット位置まで入り込んでいる第一の切り欠きと、前記分離板を３方向から囲む形状をしている第二の切り欠きであることを特徴とする給紙カセット。
【発明の詳細な説明】
【技術分野】
【０００１】
本発明は、例えば、プリンタ・複写機・ファクシミリ等の画像形成装置、スキャナ等の画像読取り装置等に用いられる給紙カセットに関するものである。
【背景技術】
【０００２】
従来、給紙カセットの側面４方向に壁が存在するので、給紙カセットに用紙をセットする場合、用紙を持つ指が側面の壁に当たり用紙が入れづらかった。特に最大積載枚数が多い給紙カセットに一度に用紙をセットしようとする場合はそれが顕著で、やむを得ず最後は用紙から手を離し、用紙の自重で用紙載置面まで落下させ、セットするという方法にせざるを得なかった。
【０００３】
だが、このようにセットすると、セットされた用紙の整列性が悪くなり、斜行、角折れ、紙詰まり等の搬送不良の問題が生じる可能性が高くなる。
【０００４】
そこで送り出し方向の側面を開放した給紙カセットが提案されている（例えば、特許文献１参照。）。
【０００５】
一方、用紙を給紙カセットから送り出す時、用紙を１枚ずつ送るために用紙を分離する必要があるが、その一つに斜面分離方式がある。これは、給紙カセットの用紙送り出し側に、用紙載置面に対し一定角度の斜面を有する分離板を複数設け、用紙先端をこの斜面に衝突させることで分離するものである（例えば特許文献２参照。）。
【特許文献１】特開平５−３３０６７６号公報（第４頁、図１）
【特許文献２】特開２００３−８１４４９号公報（第７頁、図２）
【発明の開示】
【発明が解決しようとする課題】
【０００６】
しかしながら側面の一部が開放されている従来の給紙カセットにおいても、最後に最下部の用紙と、用紙載置面との間に挟まれた指を抜く必要があり、その際特に最下部の用紙が引っ張り出され整列性が悪くなることがある。
【０００７】
また、斜面分離方式の場合、分離板は給紙カセットの用紙送り出し側の側面に設けられているので、この側面を開放することはできず、上述の問題が発生する。
【０００８】
一方、分離板を装置本体に設けた場合、給紙カセットの用紙送り出し側の側面に大きい切り欠きを設けることは可能である。図５はそのような構造を有した給紙カセット１０１を表し、分離板１０２側の面が完全に開放されている。図６は図５の給紙カセット１０１に用紙が１枚のみ積載された状態で給紙された直後の様子を表す断面図である。分離板１０２と対向する位置における用紙載置面１０１ａの先端部１０１ｂの形状が図５のように一直線であると、図６のように用紙先端が分離板１０２と用紙載置面１０１ａの先端部１０１ｂとの隙間に入り込んでしまい、用紙詰まりや用紙先端折れの問題が発生する。
【０００９】
本発明は、上記問題点に鑑み、給紙カセットへの用紙のセット性を向上させることで、用紙のセット不良をなくし、用紙のセット不良が原因で発生する給紙・搬送不良を防止することが出来、また、給紙時に、用紙が分離板と用紙載置面の間に入り込み、用紙詰まりや用紙先端折れ等の不具合の発生を防止することが出来る給紙カセットを提供することを目的とする。
【課題を解決するための手段】
【００１０】
本発明は、前記課題を解決するために、用紙を載置面上に積載・収納し、装置本体に対し出し入れ自由な給紙カセットと、該給紙カセットから該用紙を送り出す給紙ローラとを有する給紙装置において、該給紙カセットの、用紙送り出し方向で用紙載置面に対し一定の角度を有する壁の一部に切り欠きがあると同時に、該切り欠きは連続的に用紙載置面まで伸びており、該用紙載置面の切り欠きは、用紙セット位置まで入り込んでいることを特徴とする給紙カセットである。
【００１１】
また、用紙を載置面上に積載・収納し、装置本体に対し出し入れ自由な給紙カセットと、該給紙カセットから該用紙を送り出す給紙ローラと、該用紙の送り出し方向下流側に設けられ、該用紙を衝突する斜面を有する分離板とを有する給紙装置において、
該給紙カセットの用紙載置面に切り欠きを有し、該切り欠きは、前記分離板を３方向から囲む形状をしていることを特徴とする給紙カセットである。
更に、用紙を載置面上に積載・収納し、装置本体に対し出し入れ自由な給紙カセットと、該給紙カセットから該用紙を送り出す給紙ローラと、該用紙の送り出し方向下流側に設けられ、該用紙を衝突する斜面を有する分離板とを有する給紙装置において、
該給紙カセットの、用紙送り出し方向で用紙載置面に対し一定の角度を有する壁の一部に切り欠きがあると同時に、該切り欠きは連続的に用紙載置面まで伸びており、該用紙載置面の切り欠きは、用紙セット位置まで入り込んでいる第一の切り欠きと、前記分離板を３方向から囲む形状をしている第二の切り欠きであることを特徴とする給紙カセットである。
【発明の効果】
【００１２】
給紙カセットの用紙載置面の形状を変えるという簡単な構成で、給紙カセットへの用紙のセット性を向上することができるため、用紙のセット不良がなくなり、その結果用紙のセット不良が原因で発生する給紙・搬送不良を防止することができる。また、給紙時に、最下部の用紙が分離板と用紙載置面の間に入り込み、用紙詰まりや用紙先端折れ等の不具合の発生を防止することができ、操作者に使い易くかつ信頼性が高い装置を提供することができる。
【発明を実施するための最良の形態】
【００１３】
以下、図面に示す本発明の実施例を説明する。
【実施例】
【００１４】
図２は、本発明を適用した給紙装置の一部を表す断面図である。１は用紙を積載し収納する給紙カセット、Ｐは給紙カセット１に装填されたシート状の用紙で、最上部からＰ１、Ｐ２、Ｐ３、・・・、Ｐｎとｎ枚積載されている。給紙カセット１は、底面で用紙Ｐを保持する用紙載置面１ａ、用紙Ｐの後端を整列させる後端壁１ｂ、給紙カセット１を出し入れする時に手を掛ける取っ手１ｃから成っている。２は給紙ローラで、不図示のモータ及び駆動系を介して回転を受けることによって、給紙カセット１内の最上部の用紙Ｐ１を図の右方向へ送り出す。３は給紙装置本体、３ａは分離板で、一定の角度を有する斜面を構成し、給紙ローラ２で送り出された用紙Ｐの先端をその斜面に突き当てることで、給紙ローラ２に直接接触して搬送力がある最上部の用紙Ｐ１を除く２枚目以降の用紙Ｐ２、Ｐ３・・・を斜面の抵抗でせき止め、複数枚送られること（重送）がないように１枚ずつ分離する機能を有する。４は一対の搬送ローラで、給紙ローラ２で給紙された用紙Ｐを下流側へ搬送するローラ対である。５は搬送ガイドで、搬送ローラ４で搬送された用紙Ｐ１の搬送方向を９０°転換する案内部材である。
【００１５】
図１は、本発明を適用した給紙装置の給紙カセット１及び分離板３ａを表す斜視図である。給紙カセット１の用紙載置面１ａの先端部には、中央部に設けられ最下部の用紙Ｐｎの外形を表す２点鎖線の内側にまで進入した第一の切り欠き１ｄと、分離板３ａの周囲３方を囲む形状で切り欠かれている第二の切り欠き１ｅが設けられている。
【００１６】
図３は、給紙カセット１に用紙Ｐを装填する様子を表した断面図である。給紙カセット１の用紙載置面１ａに設けられた第一の切り欠き１ｄが最下部の用紙Ｐｎ内に入り込んでいるので、操作者は最下部の用紙Ｐｎが用紙載置面１ａに接触するまで指を用紙Ｐの束から離す必要がなく、確実に用紙Ｐを給紙カセット１にセットできる。
【００１７】
図４は、給紙カセット１には最下部の用紙Ｐｎのみが残っている状態を表した断面図である。分離板３ａを囲む形状になっている用紙載置面１ａのために、用紙Ｐｎの先端が下に落ち込むことがなく、給紙時に用紙載置面１ａと分離板３ａとの隙間に入り込むことによって生じる用紙詰まりや用紙先端折れ等の不具合が発生しない。
【図面の簡単な説明】
【００１８】
【図１】本発明を適用した給紙装置の給紙カセットを表す斜視図
【図２】給紙装置に給紙カセットを装填した時の一部断面図
【図３】給紙カセットに用紙を装填する状態を表す断面図
【図４】最下部の用紙を給紙カセットに装填した状態を表す断面図
【図５】従来の給紙カセットを表す斜視図
【図６】従来の給紙カセットから最下部の用紙を給紙した状態を表す断面図
【符号の説明】
【００１９】
１  給紙カセット
１ａ  用紙載置面
１ｂ  後端壁
１ｃ  取っ手
１ｄ  第一の切り欠き
１ｅ  第二の切り欠き
２  給紙ローラ
３  給紙装置本体
３ａ  分離板
４  搬送ローラ対
５  搬送ガイド
Ｐ  用紙
【図１】
2006219243.tif 000003
【図２】
2006219243.tif 000004
【図３】
2006219243.tif 000005
【図４】
2006219243.tif 000006
【図５】
2006219243.tif 000007
【図６】
2006219243.tif 000008